【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
サービスエリアと禁止エリアとを含むセルにおけるユーザ端末との通信の方法であって、衛星地上ネットワークによって、
前記サービスエリアと前記禁止エリアとを含む前記セル内の前記ユーザ端末へ衛星を介して、前記ユーザ端末についての位置情報についての要求を送信するステップと、
前記サービスエリアと前記禁止エリアとを含む前記セル内の前記ユーザ端末から衛星を介して、前記ユーザ端末についての前記要求された位置情報を受信するステップと、
前記ユーザ端末からの衛星を介して受信された前記ユーザ端末についての前記位置情報に基づいて、前記サービスエリアもまた含む前記セルの前記禁止エリア内に位置する前記ユーザ端末を決定するステップと、
前記サービスエリアと前記禁止エリアとを含む前記セル内の前記ユーザ端末へ衛星を介して、前記サービスエリアもまた含む前記セルの前記禁止エリア内に位置する前記ユーザ端末の前記決定の結果として、前記ユーザ端末にRadio Connection Reconfigurationメッセージを送信するステップであって、前記サービスエリアと前記禁止エリアとを含む前記セル内の前記ユーザ端末へ衛星を介して送信される前記Radio Connection Reconfigurationメッセージが、前記ユーザ端末が位置すると判定された前記禁止エリアに関連付けられたページングエリアコードを含む、ステップと
を備える、方法。
【請求項２】
前記サービスエリアと前記禁止エリアとを含む前記セル内の前記ユーザ端末へ衛星を介して、前記Radio Connection Reconfigurationメッセージを送信した後でRadio Connection Releaseメッセージを送信するステップであって、前記Radio Connection Releaseメッセージが、Core Network Control Layer更新手順を開始するための要求を備える、ステップ
をさらに備える、請求項1に記載の方法。
【請求項３】
前記Core Network Control Layer更新手順が、禁止ページングエリアコードを送信するステップを含む、請求項2に記載の方法。
【請求項４】
前記Radio Connection Releaseメッセージが、前記Core Network Control Layer更新手順を直ちに開始するようにとの要求を備える、請求項2に記載の方法。
【請求項５】
前記Radio Connection Releaseメッセージが、前記ユーザ端末がいつ再構成を試行するべきであるかを制御するタイミング情報を備える、請求項2に記載の方法。
【請求項６】
前記Radio Connection Releaseメッセージが、前記禁止エリアを示す情報を備える、請求項2に記載の方法。
【請求項７】
前記禁止エリアを示す前記情報が、楕円体の点と前記楕円体の点からの距離とを備える、請求項6に記載の方法。
【請求項８】
通信のための装置であって、
メモリと、
前記メモリに結合されるプロセッサであって、前記プロセッサおよび前記メモリが、
サービスエリアと禁止エリアとを含むセル内のユーザ端末へ衛星を介して、前記ユーザ端末についての位置情報についての要求を送信することと、
前記サービスエリアと前記禁止エリアとを含む前記セル内の前記ユーザ端末から衛星を介して、前記ユーザ端末についての前記要求された位置情報を受信することと、
前記ユーザ端末からの衛星を介して受信された前記ユーザ端末についての前記位置情報に基づいて、前記サービスエリアもまた含む前記セルの前記禁止エリア内に位置する前記ユーザ端末を決定することと、
前記サービスエリアと前記禁止エリアとを含む前記セル内の前記ユーザ端末へ衛星を介して、前記サービスエリアもまた含む前記セルの前記禁止エリア内に位置する前記ユーザ端末の前記決定の結果として、前記ユーザ端末にRadio Connection Reconfigurationメッセージを送信することであって、前記サービスエリアと前記禁止エリアとを含む前記セル内の前記ユーザ端末へ衛星を介して送信される前記Radio Connection Reconfigurationメッセージが、前記ユーザ端末が位置すると判定された前記禁止エリアに関連付けられたページングエリアコードを含む、送信することと
を行うように構成される、プロセッサと
を備える、装置。
【請求項９】
前記プロセッサおよび前記メモリが、前記サービスエリアと前記禁止エリアとを含む前記セル内の前記ユーザ端末へ衛星を介して、前記Radio Connection Reconfigurationメッセージを送信した後でRadio Connection Releaseメッセージを送信するようにさらに構成され、
前記Radio Connection Releaseメッセージが、Core Network Control Layer更新手順を開始するための要求を備える、
請求項8に記載の装置。
【請求項１０】
前記Core Network Control Layer更新手順が、禁止ページングエリアコードを送信するステップを含む、請求項9に記載の装置。
【請求項１１】
前記Radio Connection Releaseメッセージが、前記禁止エリアを示す情報を備える、請求項9に記載の装置。
【請求項１２】
通信のための装置であって、
サービスエリアと禁止エリアとを含むセル内のユーザ端末へ衛星を介して、前記ユーザ端末についての位置情報についての要求を送信するための手段と、
前記サービスエリアと前記禁止エリアとを含む前記セル内の前記ユーザ端末から衛星を介して、前記ユーザ端末についての前記要求された位置情報を受信するための手段と、
前記ユーザ端末からの衛星を介して受信された前記ユーザ端末についての前記位置情報に基づいて、前記サービスエリアもまた含む前記セルの前記禁止エリア内に位置する前記ユーザ端末を決定するための手段と、
前記サービスエリアと前記禁止エリアとを含む前記セル内の前記ユーザ端末へ衛星を介して、前記サービスエリアもまた含む前記セルの前記禁止エリア内に位置する前記ユーザ端末の前記決定の結果として、前記ユーザ端末にRadio Connection Reconfigurationメッセージを送信するための手段であって、前記サービスエリアと前記禁止エリアとを含む前記セル内の前記ユーザ端末へ衛星を介して送信される前記Radio Connection Reconfigurationメッセージが、前記ユーザ端末が位置すると判定された前記禁止エリアに関連付けられたページングエリアコードを含む、手段と
を備える、装置。
【請求項１３】
前記送信するための手段が、前記サービスエリアと前記禁止エリアとを含む前記セル内の前記ユーザ端末へ衛星を介して、前記Radio Connection Reconfigurationメッセージを送信した後でRadio Connection Releaseメッセージを送信するようにさらに構成され、
前記Radio Connection Releaseメッセージが、Core Network Control Layer更新手順を開始するための要求を備える、
請求項12に記載の装置。
【請求項１４】
ユーザ端末から位置情報を受信するための手段であって、前記決定が、前記受信された位置情報に基づく、手段
をさらに備える、請求項12に記載の装置。
【請求項１５】
前記ユーザ端末についての位置情報が必要であると判定するための手段であって、前記送信するための手段が、前記ユーザ端末の位置情報が必要であるという前記判定の結果として、前記位置情報に対する要求を送信するように構成される、請求項12に記載の装置。
【請求項１６】
コンピュータ実行可能コードを記憶した衛星地上ネットワークのための非一時的コンピュータ可読記憶媒体であって、前記コードが、
サービスエリアと禁止エリアとを含むセル内のユーザ端末へ衛星を介して、前記ユーザ端末についての位置情報についての要求を送信することと、
前記サービスエリアと前記禁止エリアとを含む前記セル内の前記ユーザ端末から衛星を介して、前記ユーザ端末についての前記要求された位置情報を受信することと、
前記ユーザ端末からの衛星を介して受信された前記ユーザ端末についての前記位置情報に基づいて、前記サービスエリアもまた含む前記セルの前記禁止エリア内に位置する前記ユーザ端末を決定することと、
前記サービスエリアと前記禁止エリアとを含む前記セル内の前記ユーザ端末へ衛星を介して、前記サービスエリアもまた含む前記セルの前記禁止エリア内に位置する前記ユーザ端末の前記決定の結果として、前記ユーザ端末にRadio Connection Reconfigurationメッセージを送信することであって、前記サービスエリアと前記禁止エリアとを含む前記セル内の前記ユーザ端末へ衛星を介して送信される前記Radio Connection Reconfigurationメッセージが、前記ユーザ端末が位置すると判定された前記禁止エリアに関連付けられたページングエリアコードを含む、送信することと
を行うように構成される、プロセッサと
を備える、装置。